(57)【要約】【課題】光ディスク上の微細欠陥に対するきめ細やかな記録制御を行ない得る光ディスク装置及びその制御方法を提案する。【解決手段】フォーカスエラー信号に基づき得られる光ディスクの記録面に対するレーザ光のフォーカスオフセット量に応じて、データを光ディスクに記録する際の記録パワーを補正するようにした。またセンサにより検出された対物レンズの光ディスクの径方向における基準位置からのずれ量に応じて、記録パワーを補正するようにした。【選択図】図１
2008108398.tif 000002
【特許請求の範囲】
【請求項１】
光ディスクにデータを記録する光ディスク装置において、
前記データに応じて変調したレーザ光を前記光ディスクの記録面上に集光するようにして前記データを前記光ディスクに記録すると共に、前記レーザ光の前記光ディスクにおける反射光に基づいて、当該レーザ光の前記光ディスクの記録面に対するオフセット量に応じた信号レベルのフォーカスエラー信号を生成する光ピックアップと、
前記フォーカスエラー信号に基づき得られる前記光ディスクの記録面に対する前記レーザ光のフォーカスオフセット量に応じて、前記データを前記光ディスクに記録する際の記録パワーを補正する補正部と
を備えることを特徴とする光ディスク装置。
【請求項２】
前記補正部は、
前記フォーカスエラー信号に基づいて前記フォーカスオフセット量を検出し、検出した当該フォーカスオフセット量に応じた第１の補正係数を出力する制御部と、
当該第１の補系係数に基づいて前記記録パワーを補正するための所定の演算処理を実行する演算部と
を備えることを特徴とする請求項１に記載の光ディスク装置。
【請求項３】
前記制御部は、
前記フォーカスエラー信号に基づいて、前記光ディスクの記録面に対する前記レーザ光のフォーカスオフセット量を検出するフォーカスオフセット量検出部と、
前記フォーカスオフセット量検出部により検出された前記フォーカスオフセット量に基づいて前記光ディスク上の欠陥部位を検出する欠陥検出部と、
前記欠陥検出部により検出された前記欠陥検出部にデータを記録する期間、前記フォーカスオフセット量に応じた前記第１の補正係数を出力する第１の補正係数出力部と
を備える
ことを特徴とする請求項２に記載の光ディスク装置。
【請求項４】
前記制御部は、
前記欠陥検出部により前記欠陥部位が検出されたときに、次に前記欠陥部位が現れるであろう前記光ディスク上の領域を算出する欠陥領域算出部と、
前記欠陥領域部の算出結果に基づいて、次に前記欠陥部位が現れるであろう前記光ディスク上の前記領域にデータを記録するタイミングで所定の第２の補正係数を出力する第２の補正係数出力部と
を備え、
前記演算処理部は、
前記第１及び第２の補系係数に基づいて前記記録パワーを補正するための所定の演算処理を実行する
ことを特徴とする請求項３に記載の光ディスク装置。
【請求項５】
前記第２の補正係数出力部は、
データ記録時に得られた前記欠陥部位での前記フォーカスオフセット量の情報に基づいて、次に前記欠陥部位が現れるであろう前記光ディスク上の領域にデータ記録を行なう際の前記フォーカスオフセット量を予測し、予測結果に応じた前記第２の補正係数を出力する
ことを特徴とする請求項４に記載の光ディスク装置。
【請求項６】
光ディスクにデータを記録する光ディスク装置の制御方法において、
前記データに応じて変調したレーザ光を前記光ディスクの記録面上に集光するようにして前記データを前記光ディスクに記録すると共に、前記レーザ光の前記光ディスクにおける反射光に基づいて、当該レーザ光の前記光ディスクの記録面に対するオフセット量に応じた信号レベルのフォーカスエラー信号を生成する第１のステップと、
前記フォーカスエラー信号に基づき得られる前記光ディスクの記録面に対する前記レーザ光のフォーカスオフセット量に応じて、前記データを前記光ディスクに記録する際の記録パワーを補正する第２のステップと
を備えることを特徴とする光ディスク装置の制御方法。
【請求項７】
前記第２のステップは、
前記フォーカスエラー信号に基づいて前記フォーカスオフセット量を検出し、検出した当該フォーカスオフセット量に応じた第１の補正係数を出力する補正係数出力ステップと、
当該第１の補系係数に基づいて前記記録パワーを補正するための所定の演算処理を実行する演算処理実行ステップと
を備えることを特徴とする請求項６に記載の光ディスク装置の制御方法。
【請求項８】
前記補正係数出力ステップでは、
前記フォーカスエラー信号に基づいて、前記光ディスクの記録面に対する前記レーザ光のフォーカスオフセット量を検出し、
検出した前記フォーカスオフセット量に基づいて前記光ディスク上の欠陥部位を検出し、
検出した前記欠陥検出部にデータを記録する期間、前記フォーカスオフセット量に応じた前記第１の補正係数を出力する
ことを特徴とする請求項７に記載の光ディスク装置の制御方法。
【請求項９】
前記補正係数出力ステップでは、
前記欠陥部位を検出したときに、次に前記欠陥部位が現れるであろう前記光ディスク上の領域を算出し、
算出結果に基づいて、次に前記欠陥部位が現れるであろう前記光ディスク上の前記領域にデータを記録するタイミングで所定の第２の補正係数を出力し、
前記演算処理部実行ステップでは、
前記第１及び第２の補系係数に基づいて前記記録パワーを補正するための所定の演算処理を実行する
ことを特徴とする請求項８に記載の光ディスク装置の制御方法。
【請求項１０】
前記補正係数出力ステップでは、
データ記録時に得られた前記欠陥部位での前記フォーカスオフセット量の情報に基づいて、次に前記欠陥部位が現れるであろう前記光ディスク上の領域にデータ記録を行なう際の前記フォーカスオフセット量を予測し、予測結果に応じた前記第２の補正係数を出力する
ことを特徴とする請求項９に記載の光ディスク装置の制御方法。
【請求項１１】
光ディスクにデータを記録する光ディスク装置において、
前記データに応じて変調したレーザ光を出力するレーザダイオードと、
前記レーザダイオードから発射された前記レーザ光を前記光ディスクの記録面上に集光する対物レンズと、
必要時に前記対物レンズを前記光ディスクの径方向に移動できるように保持する保持部と、
前記対物レンズの前記光ディスクの径方向における基準位置からのずれ量を検出するセンサと、
前記センサにより検出された当該ずれ量に応じて、前記記録パワーを補正する補正部と
を備えることを特徴とする光ディスク装置。
【請求項１２】
前記補正部は、
前記センサにより検出された当該ずれ量に応じた補正係数を出力する制御部と、
当該補系係数に基づいて前記記録パワーを補正するための所定の演算処理を実行する演算部と
を備えることを特徴とする請求項１１に記載の光ディスク装置。
【請求項１３】
前記制御部は、
前記センサの出力に基づいて、前記対物レンズの前記光ディスクの径方向における基準位置からのずれ量を検出するずれ量検出部と、
前記ずれ量検出部により検出された前記ずれ量に基づいて前記光ディスク上の欠陥部位を検出する欠陥検出部と、
前記欠陥検出部により検出された前記欠陥検出部にデータを記録する期間、前記ずれ量に応じた前記補正係数を出力する補正係数出力部と
を備える
ことを特徴とする請求項１２に記載の光ディスク装置。
【発明の詳細な説明】
【技術分野】
【０００１】
本発明は、光ディスク装置及びその制御方法に関し、例えば対物レンズとして短焦点レンズを用いる光ディスク装置に適用して好適なものである。
【背景技術】
【０００２】
近年、データ記録媒体として、従来の磁気テープに代えて光ディスクが広く用いられるようになってきた。これに伴い、光ディスク装置の開発も進められており、光ディスク装置に関する種々の提案が活発に行なわれている（特許文献１〜特許文献４参照）。
【０００３】
一方、近年では、次世代の光ディスクとして、ブルーレイディスク（ＢＤ：Blu-ray Disc）の開発も進められている。ブルーレイディスクは、波長が405〔nm〕の青紫色レーザ光を開口数が0.85の高開口数レンズで絞り込むことによりデータを高密度に記録し得るようになされた光ディスクであり、例えばＤＶＤ（Digital Versatile Disc）の数倍の容量を有する。
【特許文献１】特開２００５−３２７３７７号公報
【特許文献２】特開２００６−１１４１６６号公報
【特許文献３】特開２００５−３１０３５１号公報
【特許文献４】特許第３７８０８６６号明細書
【発明の開示】
【発明が解決しようとする課題】
【０００４】
ところで、かかるブルーレイディスクのような短焦点レンズを用いる光ディスクの場合、レーザ光が入射するディスクカバー層の微小な厚みムラがデータの記録品質に無視できない影響を与えることが、最近になって判明してきた。
【０００５】
この場合において、例えば上記特許文献１では、サーボ信号に遅延手段を設けてサンプリング信号の前後比較を行なうことにより、欠陥部位においてサーボエラー信号を補正してサーボを安定させる方法が開示されている。また上記特許文献２では、サーボ信号に閾値を設けて記録速度の減速制御を行なうことが開示され、上記特許文献３では、記録動作の間欠待機期間中に再生してβ値等の記録品質評価により記録パワー補正を行なうことが開示されている。
【０００６】
しかしながら、これら特許文献１〜特許文献３に開示された発明によると、光ディスク上に凹部、汚れ又は付着物等の局所的な欠陥が存在する場合に、当該欠陥部位において発生する記録品質の劣化には対応し得ない問題がある。
【０００７】
一方、上記特許文献４では、試書き領域を未記録状態で再生し、フォーカスエラー信号等によって光ディスクの物理状態を検出することにより、指紋や傷等の欠陥部の影響を除去したＯＰＣ設定を行うことが開示されている。
【０００８】
しかしながら、この特許文献４に開示された方法によると、精度良くＯＰＣ設定を行うことができるものの、事前の欠陥部位の検出処理が必要となり、実際にデータ記録領域にデータを記録する際には適用し得ない問題があった。
【０００９】
今後、ブルーレイディスクの高速記録化が進むと、ディスクカバー層の微小厚みムラによるデータ記録品質への影響が更に増大することから、安定な記録品質を実現するためには、光ディスク上の微細欠陥に対するきめ細やかな記録制御を行なう必要が生じてきた。
【００１０】
本発明は以上の点を考慮してなされたもので、光ディスク上の微細欠陥に対するきめ細やかな記録制御を行ない得る光ディスク装置及びその制御方法を提案しようとするものである。
【課題を解決するための手段】
【００１１】
かかる課題を解決するため本発明においては、光ディスク装置において、光ディスクの記録面に対するレーザ光のフォーカスオフセット量に応じて、データを光ディスクに記録する際の記録パワーを補正する補正部を設けるようにした。
【００１２】
また本発明においては、光ディスク装置の制御方法において、光ディスクの記録面に対するレーザ光のフォーカスオフセット量に応じて、データを光ディスクに記録する際の記録パワーを補正するステップを設けるようにした。
【００１３】
さらに本発明においては、光ディスク装置において、対物レンズの光ディスクの径方向における基準位置からのずれ量に応じて、記録パワーを補正する補正部を設けるようにした。
【発明の効果】
【００１４】
本発明によれば、光ディスク上の微細欠陥に対するきめ細やかな記録制御を行ない得る光ディスク装置及びその制御方法を実現できる。
【発明を実施するための最良の形態】
【００１５】
以下図面について、本発明の一実施の形態を詳述する。
【００１６】
（１）第１の実施の形態
（１−１）原理
例えば図１（Ａ）に示すように、光ディスク１のレーザ入射面に凹部、汚れ又は付着物等の欠陥部位１Ａが存在する場合、その欠陥部位１Ａの影響により光ピックアップから発射されたレーザ光が記録面上に集光せず、図１（Ｂ−１）のようなフォーカスエラーが発生する。
【００１７】
このような状況のもと、図１（Ｂ−２）のように常に一定の記録パワーで光ディスク１にデータ記録を行なった場合、かかる欠陥部位１Ａでは、レーザ光が集光しない分、通常よりも低い記録パワーで記録が行なわれるため、精度良く記録マークが形成されない。この結果、図１（Ｂ−３）に示すように、データの再生時にその欠陥位置において既定レベルの再生信号が得られず、場合によっては再生エラーが発生する。
【００１８】
そこで、本実施の形態では、光ディスク１へのデータ記録時、図１（Ｃ−１）のようにフォーカスエラーが発生する欠陥部位１Ａにおいては、図１（Ｃ−２）のように記録パワーを増加させる。この結果、図１（Ｃ−３）に示すように、その欠陥部位１Ａにおいても記録データの再生時に既定レベルの再生信号を得ることができ、光ディスク１上の微細欠陥に対するきめ細やかな記録制御を行なうことができる。
【００１９】
（１−２）本実施の形態による光ディスク装置の構成
図２において、１０は全体として本実施の形態による光ディスク装置の記録系の一部構成を示す。この光ディスク装置１０では、記録モード時、装填された光ディスク１１を回転制御部１２の制御のもとにスピンドルモータ１３によりその光ディスク１１に応じた回転方式（ＣＡＶ（Constant Angular Velocity）方式又はＣＬＶ（Constant Linear Velocity）方式など）で回転させる。
【００２０】
パーソナルコンピュータなどの外部機器から与えられる記録データは、変調部１４においてＥＦＭ（EighttoFourteenModulation）変調、８−１６変調又は１７ＰＰ変調等の所定の変調処理が施された後に、記録データ変調信号としてストラテジ制御部１５に与えられる。ストラテジ制御部１５は、供給される記録データ変調信号に対して、光ディスク１１に既定長（３Ｔ〜１１Ｔ）の記録マークを形成するための所定のストラテジ制御処理を施し、得られた記録信号をレーザドライバ１６に送出する。
【００２１】
レーザドライバ１６は、供給される記録信号に基づいて、後述する記録パワー制御部２４から与えられる記録パワー制御信号に応じた信号レベルの駆動信号を生成し、これを光ピックアップ１７内の図示しないレーザダイオードに印加する。
【００２２】
この結果、かかる記録データに応じて変調されたレーザ光Ｌ１がレーザダイオードから発射され、このレーザ光ＬＩが光ピックアップ１７内の対物レンズ１７Ａを介して光ディスク１１の記録面１１Ａ上に集光される。これにより光ディスク１１の記録面１１Ａにレーザ光Ｌ１の点滅に応じたパターンの記録マークが形成され、記録データが光ディスク１１に記録される。
【００２３】
また、かかるレーザ光Ｌ１の光ディスク１１における反射光Ｌ２は、光ピックアップ１７内の図示しないフォトディテクタ１７Ｂに導かれ、当該フォトディテクタ１７Ｂにおいて光電変換される。そして、この光電変換により得られた電流成分がＩＶアンプ１８に与えられ、その出力を図示しない演算回路を用いることによりフォーカスエラー信号が得られる。
【００２４】
ＩＶアンプ１８は、得られたフォーカスエラー信号を補償部１９及び制御部２１に送出する。また補償部１９は、供給されるフォーカスエラー信号に対して位相補償等の所定の補償処理を施し、得られたフォーカスドライブ信号をドライバ部２０に送出する。
【００２５】
かくしてドライバ部２０は、この補償フォーカスドライブ信号に基づいて、光ピックアップ１７内の対物レンズ１７Ａを保持する図示しない２軸アクチュエータを必要に応じて駆動することにより、光ピックアップ１７から発射されるレーザ光Ｌ１が光ディスク１１の記録面１１Ａ上にジャストフォーカスするように、対物レンズ１７Ａを光ディスク１１に近づける方向又は離反する方向に移動させる。
【００２６】
一方、制御部２１は、供給される電流電圧変換フォーカスエラー信号に基づいて、光ディスク１１の欠陥部位におけるフォーカスエラー信号の値を「０」とするような記録パワーの補正係数（以下、適宜、これを記録パワー補正係数と呼ぶ）を取得し、これを乗算部２２に送出する。
【００２７】
このとき記録パワー調整部２３は、例えばＯＰＣ（Optimum Power Control）と呼ばれる試書き処理により検出した光ディスク１１に最適な記録パワーに応じた信号レベルの記録パワー調整信号を記録パワー制御部２４に送出している。
【００２８】
また記録パワー制御部２４は、供給される記録パワー調整信号に基づいて、かかる試書き処理の処理結果に応じた信号レベルの記録パワー制御信号を生成し、これを乗算部２２に送出している。
【００２９】
かくして乗算部２２は、制御部２１から与えられる記録パワー補正係数と、記録パワー制御部２４から与えられる記録パワー制御信号とを順次乗算し、かくして得られた記録パワー補正係数に基づいて補正された信号レベルの記録パワー制御信号をレーザドライバ１６に送出する。
【００３０】
かくしてレーザドライバ１６は、この記録パワー制御信号の信号レベルに応じた信号レベルの駆動信号を生成し、これを上述のように光ピックアップ１７内のレーザダイオードに印加する。これにより光ディスク１１上の欠陥部分において記録パワーが増加するように、レーザダイオードから発射されるレーザ光Ｌ１の光量が動的に補正される。
【００３１】
図３は、上述の光ディスク装置１０における制御部２１の具体的な構成を示す。この図３からも明らかなように、制御部２１は、絶対値変換部３０、欠陥検出部３１及び補正係数出力部３２から構成される。
【００３２】
絶対値変換部３０は、ＩＶアンプ１８（図）から与えられる電流電圧変換フォーカスエラー信号の信号レベル（フォーカスオフセット量（ジャストフォーカス位置からのフォーカス位置のずれ量）に相当）の絶対値を検出し、当該絶対値に応じた信号レベルのフォーカスオフセット量検出信号を欠陥検出部３１及び補正係数出力部３２に送出する。
【００３３】
欠陥検出部３１は、供給されるフォーカスオフセット量検出信号の信号レベルを予め設定された所定の閾値（以下、これを欠陥検出用閾値と呼ぶ）と比較し、フォーカスオフセット量検出信号の信号レベルが当該欠陥検出用閾値よりも大きい期間のみ立ち上がる欠陥検出信号を補正係数出力部３２に送出する。
【００３４】
補正係数出力部３２は、フォーカスオフセット量に対する記録パワー補正係数を予め規定したＦＥ量‐補正係数変換テーブルを内部メモリ内に保持している。この場合、かかる記録パワー補正係数は、図４に示すように、フォーカスオフセット量が「０」のときに予め定められた所定値（例えば「１」）の「100〔％〕」をとり、かかるフォーカスオフセット量が増加するにつれて、その所定値に対する当該記録パワー補正係数の大きさの割合が２次関数的に大きくなるように規定されている。
【００３５】
そして補正係数出力部３２は、欠陥検出信号が立ち上がる期間中（すなわち欠陥部位にデータを記録している期間中）、このＦＥ量‐補正係数変換テーブルに基づいて、フォーカスオフセット量検出信号に基づき得られるフォーカスオフセット量を記録パワー補正係数に順次変換し、これを乗算部２２に送出する。また補正係数出力部３２は、欠陥検出信号が立ち下がっている期間中は、かかる所定値の「100〔％〕」の値を記録パワー補正係数に変換し、これを乗算部２２に送出する。これにより、上述のように、この記録パワー補正係数に基づいて記録パワー制御信号の信号レベルの補正が行なわれ、光ディスク１１の欠陥部位において記録パワーが増加されることとなる。
【００３６】
図５は、このような第１の実施の形態による光ディスク装置１０の記録パワーの補正に関する処理（以下、これを記録パワー補正処理と呼ぶ）の処理シーケンスを示すフローチャートである。
【００３７】
光ディスク装置１は、記録モード時、そのとき装填されている光ディスク１１に対して、予め実行したＯＣＰ処理により求めた最適な記録パワーを記録を、記録パワー調整部２３（図２）により設定し（ＳＰ２）、この後記録動作を開始する（ＳＰ３）。
【００３８】
記録動作の開始後、電流電圧変換処理等されたフォーカスエラー信号（電流電圧変換フォーカスエラー信号）が制御部２１（図２）の絶対値変換部３０（図３）において絶対値に順次変換され（ＳＰ４）、この絶対値が欠陥検出部３１（図３）において欠陥検出用閾値と比較される（ＳＰ５）。そして、かかる絶対値がその欠陥検出用閾値よりも小さいときには（ＳＰ５：ＮＯ）、そのまま記録動作が継続される（ＳＰ１〜ＳＰ５−ＳＰ１）。
【００３９】
一方、かかる絶対値が欠陥検出用閾値以上となったときには（ＳＰ５：ＹＥＳ）、制御部２１の補正係数出力部３２（図３）においてフォーカスオフセット量に応じた記録パワー補正係数が算出され（ＳＰ６）、この記録パワー補正係数が、記録パワー制御部２４（図２）から出力されるステップＳＰ２において設定された記録パワーに応じた信号レベルの記録パワー制御信号に乗算される（ＳＰ７）。これにより記録パワーが補正され、この後、同様の処理が繰り返される（ＳＰ１〜ＳＰ７−ＳＰ１）。
【００４０】
そして、光ディスク装置１は、やがて記録データの記録動作が終了すると（ＳＰ１：ＹＥＳ）、この記録パワー補正処理を終了する。
【００４１】
（１−３）本実施の形態の効果
以上のように、本実施の形態による光ディスク装置１０では、光ディスク１１上の欠陥部位をフォーカスエラー信号に基づいて検出し、そのときのフォーカスオフセット量に応じた大きさの記録パワー補正係数を記録パワー制御信号に乗算するようにして、記録パワーを補正する。
【００４２】
従って、この光ディスク装置１０では、光ディスク１１の欠陥部位については、その欠陥部位におけるフォーカスオフセット量に応じて他の部位よりも高い記録パワーで記録を行なうことができるため、光ディスク１１の記録面において、常に一定の記録パワーでデータ記録を行なうことができる。かくするにつき、この光ディスク装置１０は、光ディスク１１上の微細欠陥に対するきめ細やかな記録制御を行なうことができる。
【００４３】
（２）第２の実施の形態
（２−１）原理
第１の実施の形態による光ディスク装置１では、光ディスク１１上の欠陥部位をフォーカスエラー信号に基づいて検出した後に、そのときのフォーカスオフセット量に応じた記録パワーの補正処理が行われるため、光ディスク１１上のかかる欠陥部位にデータを記録し始めるタイミングに対して記録パワー補正処理が開始されるタイミングがごく僅かながら遅れる。
【００４４】
一方、図６（Ａ）に示すように、光ディスク１１に形成される欠陥部位１１Ｂは、通常、トラック幅よりも大きく、複数トラックに渡ってデータの記録に影響を与える。
【００４５】
そこで、本実施の形態による光ディスク装置においては、データ記録時に得られた欠陥部位１１Ｂの位置情報に基づいて欠陥部位１１Ｂが次に現れるであろう光ディスク１１上の位置を予測し、予測結果に基づくタイミングで記録パワー補正処理を開始することを特徴としている。
【００４６】
具体的に、本光ディスク装置では、あるトラック（以下、これを記録トラックと呼ぶ）Ｎにデータを記録する際、これに隣接するトラック（以下、これを隣接トラックと呼ぶ）Ｎ−１へのデータ記録中に欠陥部位１１Ｂを検出した場合には、かかる記録トラックＮ上における、上記欠陥部位１１Ｂが検出された位置と光ディスクの径方向に同じ位置にデータを記録し始めるタイミングで記録パワー補正処理を開始する。
【００４７】
また本実施の形態による光ディスク装置においては、データ記録時に得られたかかる欠陥部位１１Ｂでのフォーカスオフセット量の情報に基づいて、次に当該欠陥部位１１Ｂが現れるであろうと予測される領域にデータ記録を行なう際のフォーカスオフセット量ＦＥ#Ｐ（Ｎ）（図６（Ｂ）及び図６（Ｃ））を予測し、当該予測結果に基づいて記録パワー補正処理を行なうことをもう１つの特徴としている。
【００４８】
具体的に、本光ディスク装置では、かかる隣接トラックＮ−１上のその欠陥部位１１Ｂにおける記録パワー補正処理を、図６（Ｂ）に示すように、記録トラックＮへのデータ記録時に得られたその欠陥部位１１Ｂでのフォーカスオフセット量のピーク値ＦＥ#Ｐ（Ｎ）と、記録トラックＮを介して隣接するトラックＮ−１へのデータ記録時に得られたその欠陥部位１１Ｂでのフォーカスオフセット量のピーク値ＦＥ#Ｐ（Ｎ−１）との差分に基づいて行なう。
【００４９】
以下、このような第２の実施の形態による光ディスク装置の構成を具体的に説明する。
【００５０】
（２−１）本実施の形態による光ディスク装置の構成
図１との対応部分に同一符号を付した図６は、第２の実施の形態による光ディスク装置４０を示す。
【００５１】
この光ディスク装置４０では、記録モード時、光ピックアップ１７から光ディスク１１に照射された光ビームＬ１の反射光Ｌ２に基づき、ＩＶアンプ１８によって得られた出力を図示しない演算回路を用いることによりフォーカスエラー信号と、ＲＦ（Radio Frequency）信号と、ウォブル信号又はＬＰＰ（Land PrePit）信号とが得られる。
【００５２】
これらフォーカスエラー信号と、ＲＦ信号と、ウォブル信号又はＬＰＰ信号とを、それぞれ制御部４１に送出する。
【００５３】
制御部４１は、図３との対応部分に同一符合を付した図８のように構成されており、ＩＶアンプ１８から与えられる電流電圧変換フォーカスエラー信号に基づき、絶対値変換部３０と、欠陥検出部３１と図３について上述した補正係数出力部３２と同じ構成を有する第１の補正係数出力部５０とにより得られた上述の記録パワー補正係数と同じ第１の補正係数を乗算部５１に入力する。
【００５４】
また制御部４１では、ＩＶアンプ１８から与えられる電流電圧変換ＲＦ信号と、電流電圧変換ウォブル信号又は電流電圧変換ＬＰＰ信号とをそれぞれ対応する復調器５２Ａ〜５２Ｃにおいて復調し、得られた再生信号と、復調ウォブル信号又は復調ＬＰＰ信号とをそれぞれアドレス検出部５３に入力する。
【００５５】
アドレス検出部５３は、供給される再生信号と、復調ウォブル信号又は復調ＬＰＰ信号とに基づいて、光ディスク１１における現在のデータ記録位置のアドレスを順次検出し、検出結果をアドレス信号として隣接アドレス算出部５４に順次送出する。
【００５６】
このとき隣接アドレス算出部５４には、欠陥検出器３１から出力される上述の欠陥検出信号が与えられる。かくして隣接アドレス算出部５４は、これらアドレス信号及び欠陥検出信号に基づいて、欠陥検出部３１が欠陥部位を検出した場合に、その欠陥部位の開始アドレス及び終了アドレスを取得する。
【００５７】
また隣接アドレス算出部５４は、取得した欠陥部位の開始アドレス及び終了アドレスに基づいて、図６（Ａ）に示すように、現在の記録トラックＮに対して次にデータ記録を行なう側の隣接トラックＮ＋１上におけるかかる欠陥部位の開始アドレス及び終了アドレスとそれぞれ径方向（図６（Ａ）において矢印ｘ方向）の同じ位置のアドレス（以下、これらをそれぞれ隣接トラック対応部位開始アドレス及び隣接トラック対応部位終了アドレスと呼ぶ）をそれぞれ算出する。つまり、この隣接トラック対応部位開始アドレスから隣接トラック対応部位終了アドレスまでの間が、かかる隣接トラックＮ＋１上で欠陥部位が存在するであろうと予測される領域である。
【００５８】
そして隣接アドレス算出部５４は、このようにして得られた隣接トラック対応部位開始アドレス及び隣接トラック対応部位終了アドレスを、隣接アドレス信号として隣接トラックタイミング生成部５５に送出する。
【００５９】
隣接トラックタイミング生成部５５は、この隣接アドレス信号に基づいて、図９（Ａ）〜（Ｃ）に示すように、かかる隣接トラックＮ＋１上の欠陥が存在するであろうと予測される領域をレーザ光Ｌ１が走査する期間Ｔ図９（Ａ））が終了した直後にパルス状に立ち上がる第２の隣接トラックタイミング信号（図９（Ｂ））と、さらにその直後にパルス状に立ち上がる第１の隣接トラックタイミング信号（図９（Ｃ））とを生成する。
【００６０】
そして隣接トラックタイミング生成部５５は、これら生成した第１及び第２の隣接トラックタイミング信号のうち、第１の隣接トラックタイミング信号を第１のピーク値保持部５６に送出し、第２の隣接トラックタイミング信号を第２のピーク値保持部に送出する。
【００６１】
一方、絶対値変換部３０から出力される上述のフォーカスオフセット量検出信号は、欠陥検出部３１及び第１の補正係数出力部５０のほか、ピーク値検出部５８にも与えられる。
【００６２】
ピーク値検出部５８は、例えば光ディスク１１の１回転ごとにリセットしながら、フォーカスオフセット量検出信号のピーク値（フォーカスオフセット量のピーク値に相当）を検出し、検出したピーク値をピーク値検出信号として第１のピーク値保持部５６に送出する。
【００６３】
第１のピーク値保持部５６は、隣接トラックタイミング生成部５５から与えられる第１の隣接トラックタイミング信号（図９（Ｃ））が立ち上がるタイミングで、ピーク値検出部５８から与えられるピーク値検出信号に基づき得られるフォーカスオフセット量検出信号のピーク値を保持する。従って、第１のピーク値保持部５６は、光ディスク１１の欠陥部位にデータを記録する際、１つ前のトラックにデータを記録したときに得られたその欠陥部位におけるフォーカスオフセット量検出信号のピーク値を保持していることになる。そして第１のピーク値保持部５６は、保持したこのピーク値を、第１のピーク値保持信号として第２のピーク値保持部５７及び第２の補正係数出力部５９に送出する。
【００６４】
また第２のピーク値保持部５７は、隣接トラックタイミング生成部５５から与えられる第２の隣接トラックタイミング信号（図９（Ｂ））が立ち上がるタイミングで、第１のピーク値保持部５６から与えられる第１のピーク値保持信号に基づき得られるフォーカスオフセット量検出信号のピーク値を保持する。従って、第２のピーク値保持部５７は、光ディスク１１の欠陥部位にデータを記録する際、２つ前のトラックにデータを記録したときに得られたその欠陥部位におけるフォーカスオフセット量検出信号のピーク値を保持していることになる。そして第２のピーク値保持部５６は、保持したこのピーク値を、第２のピーク値保持信号として第２の補正係数出力部５９に送出する。
【００６５】
第２の補正係数出力部５９は、供給される第１及び第２のピーク値保持信号に基づいて、これら第１及び第２のピーク値保持信号の信号レベルの差分を算出する。
【００６６】
また第２の補正係数出力部５９は、図１０に示すように、かかる差分の大きさに対する第２の補正係数を予め規定した差分‐補正係数変換テーブルを内部メモリ内に保持している。この場合、かかる第２の補正係数は、かかる第１及び第２のピーク値保持信号の差分が「０」のときに所定値（例えば「１」）をとり、かかる差分が増加するにつれてある範囲内では線形に増加し、その後は一定レベルを維持するように規定されている。さらに第２の補正係数出力部５９には、欠陥検出部３１から欠陥検出信号が与えられる。
【００６７】
そして第２の補正係数出力部５９は、欠陥検出信号が立ち上がる期間中は、この差分‐補正係数変換テーブルに基づいて、第１及び第２のピーク値保持信号の信号レベルの差分を第２の補正係数に順次変換し、これを乗算部５１に送出する。また第２の補正係数出力部５９は、欠陥検出信号が立ち下がっている期間中は、かかる所定値の「100〔％〕」の値を記録パワー補正係数に変換し、これを乗算部５１に送出する。
【００６８】
かくして乗算部５１は、第１の補正係数出力部５０から与えられる第１の補正係数と、第２の補正係数出力部５９から与えられる第２の補正係数とを乗算し、乗算結果を記録パワー補正係数として乗算部２２（図７）に送出する。
【００６９】
これにより光ディスク装置４０では、第１の実施の形態と同様にして、この記録パワー補正係数に基づいて記録パワー制御信号の信号レベルの補正が行なわれ、光ディスク１１の欠陥部位において記録パワーが増加されることとなる。
【００７０】
図１１は、このような第２の実施の形態による光ディスク装置４０の記録パワーの補正に関する処理シーケンスを示すフローチャートである。
【００７１】
第２の実施の形態による光ディスク装置４０では、記録モード時、第１の実施の形態による光ディスク装置１と同様に、記録パワーの設定を行った後に記録動作が開始される（ＳＰ１１及びＳＰ１２）。また、記録動作の開始後、電流電圧変換処理等されたフォーカスエラー信号が制御部４１（図７）の絶対値変換部３０（図８）において絶対値に順次変換される（ＳＰ１３）。
【００７２】
そして、記録トラックＮの１つ前のトラック（隣接トラックＮ−１）に対するデータ記録中に欠陥部位が検出されていな場合であって（ＳＰ１４：ＮＯ）、フォーカスエラー信号の絶対値が上述の欠陥検出用閾値よりも小さいときには（ＳＰ１９：ＮＯ）、そのまま記録動作が継続される（ＳＰ１０〜ＳＰ１４−ＳＰ１９−ＳＰ１０）。
【００７３】
また、かかる記録トラックＮの１つ前のトラック（隣接トラックＮ−１）に対するデータ記録中に欠陥部位が検出されている場合であっても（ＳＰ１４：ＹＥＳ）、フォーカスエラー信号の絶対値が上述の欠陥検出用閾値よりも小さいときには（ＳＰ１９：ＮＯ）、そのまま記録動作が継続される（ＳＰ１０〜ＳＰ１９−ＳＰ１０）。
【００７４】
ただし、この場合、第１のピーク値保持部５６はピーク値を保持しているが（ＳＰ１５：ＹＥＳ）、第２のピーク値保持部５７はピーク値を保持していないときには（ＳＰ１６：ＮＯ）、そのとき第１のピーク値保持部５６が保持していたピーク値が第２のピーク値保持部５７に移されて保持される（ＳＰ１８）。
【００７５】
また、第１及び第２のピーク値保持部５６、５７が共にピーク値を保持しているときには（ＳＰ１５：ＹＥＳ，ＳＰ１６：ＹＥＳ）、制御部４１の第２の補正係数出力部５９（図８）において第２の補正係数が算出された後に（ＳＰ１７）、そのとき第１のピーク値保持部５６が保持していたピーク値が第２のピーク値保持部５７に移されて保持される（ＳＰ１８）。
【００７６】
一方、フォーカスエラー信号の絶対値が上述の欠陥検出用閾値以上となったときには（ＳＰ１９：ＹＥＳ）、制御部４１の第１の補正係数出力部５０（図８）において第１の補正係数が算出される（ＳＰ２０）。
【００７７】
そして、このとき第２の補正係数出力部５９において第２の補正係数が算出されていない場合には（ＳＰ２１：ＮＯ）、第１の補正係数を記録パワー補正係数として、この記録パワー補正係数をステップＳＰ１１において設定された記録パワーに乗算するようにして記録パワーを補正する（ＳＰ２２）。また第２の補正係数が算出されている場合には（ＳＰ２１：ＹＥＳ）、第１の補正係数及び第２の補正係数の乗算結果を記録パワー補正係数として、この記録パワー補正係数をステップＳＰ１１において設定された記録パワーに乗算するようにして記録パワーを補正する（ＳＰ２３）。
【００７８】
この間、制御部４１では、ピーク値検出部５８（図８）において、その記録トラックにおけるフォーカスエラー信号の絶対値のピーク値が検出され（ＳＰ２４）、検出されたピーク値が第１のピーク値保持部５６（図８）に保持される（ＳＰ２５）。
【００７９】
この後、同様の処理が繰り返され（ＳＰ１０〜ＳＰ２５−ＳＰ１０）、やがて記録データの記録動作が終了すると（ＳＰ１０：ＹＥＳ）、光ディスク装置４０はこの記録パワー補正処理を終了する。
【００８０】
（２−２）本実施の形態の効果
以上のように、本実施の形態による光ディスク装置４０では、既に得られた欠陥部位の位置情報に基づいて欠陥部位が現れるであろうタイミングを予測し、そのタイミングで記録パワー補正処理を開始する。
【００８１】
従って、この光ディスク装置４０では、光ディスク１１上の欠陥部位にデータを記録し始めるタイミングに対して記録パワー補正処理の開始タイミングが遅れることがなく、欠陥部位の全領域において、欠陥部位に対して追随性良く記録パワー補正処理を行なうことができる。かくして、光ディスク上の微細欠陥に対するきめ細やかな記録制御を行ない得る光ディスク装置を実現できる。
【００８２】
また光ディスク装置４０では、この記録パワー補正処理時に既に得られた欠陥部位でのフォーカスオフセット量の情報に基づいて、記録トラックＮ上のかかる欠陥部位が現れるであろうと予測される領域にデータ記録を行なう際のフォーカスオフセット量を予測し、当該予測結果に基づいて記録パワー補正処理を行なうようにしているため、この記録パワー補正処理をより精度良く行なうことができる。
【００８３】
（３）第３の実施の形態
（３−１）原理
通常、光ディスク装置の光ピックアップでは、トラッキング制御のため、図１３に示すように、対物レンズＦＬを所定の基準位置（図１３において実線で示す位置）を中心として光ディスクの径方向（矢印ｙ）に変位させ得るように２軸アクチュエータ（図示せず）に保持されている。ここで、かかる基準位置は、光ピックアップ内に固定配置されたレーザダイオードＬＤから発射されたレーザ光Ｌ１０が対物レンズＦＬの中心軸Ｋ上を通るように設計された位置である。
【００８４】
このような構成の光ピックアップでは、対物レンズＦＬが基準位置から変位した場合、レーザダイオードＬＤから発射されたレーザ光Ｌ１０が、対物レンズＦＬの基準位置からの変位量（オフセット量）に応じた距離だけ対物レンズＦＬの中心軸Ｋからずれた位置を通ることになる。
【００８５】
そして、このずれ量が大きくなると、対物レンズＦＬの視野特性の影響によってレーザ光Ｌ１０が一点に集光しなくなり、光ディスクの記録面における記録パワーが落ちて、既定レベルの再生信号を得られなくなる問題がある。
【００８６】
そこで、本実施の形態では、光ディスクの径方向における対物レンズＦＬの基準位置からのオフセット量をセンサにより検出し、そのオフセット量に応じて記録パワーを補正するようにする。これにより対物レンズＦＬの基準位置からのオフセット量に係わりなく、光ディスクの記録面において常に一定の記録パワーでデータ記録を行なうことができ、高い品質で記録再生を行なうことができる。
【００８７】
（３−２）本実施の形態による光ディスク装置の構成
図１との対応部分に同一符号を付して示す図１４は、第３の実施の形態による光ディスク装置６０を示す。この光ディスク装置６０は、光ディスク１１の径方向における対物レンズ１７Ａの基準位置からのオフセット量に応じて記録パワーを補正する点を特徴とする。
【００８８】
実際上、この光ディスク装置６０の場合、光ピックアップ６１内には光ディスク１１の径方向における対物レンズ６１Ａの基準位置からのオフセット量を検出するレンズセンサ６２が設けられており、このレンズセンサ６２から出力される当該オフセット量に応じた信号レベルのレンズセンサ信号が補償部６３及び制御部６５に与えられる。
【００８９】
補償部６３は、供給されるレンズセンサ信号に対して位相補償等の所定の補償処理を施し、得られた補償レンズセンサ信号をドライバ部６４に送出する。またドライバ部６４は、この補償レンズセンサ信号に基づいて、光ピックアップ６１内の対物レンズ６１Ａを保持する２軸アクチュエータ（図示せず）を制御する。
【００９０】
一方、制御部６５は、供給されるレンズセンサ信号に基づいて、対物レンズ６１Ａの基準位置からのオフセット量に応じた大きさの記録パワー補正係数を取得し、これを乗算部２２に送出する。
【００９１】
これにより光ディスク装置６０では、第１の実施の形態と同様にして、この記録パワー補正係数に基づいて記録パワー制御信号の信号レベルの補正が行なわれ、光ディスク１１の径方向における対物レンズ６１Ａの基準位置からのオフセット量に応じて記録パワーが増加されることとなる。
【００９２】
図１５は、上述の光ディスク装置６０における制御部６４の具体的な構成を示す。この図１５からも明らかなように、制御部６４は、絶対値変換部７０、オフセット検出部７１及び補正係数出力部７２から構成される。
【００９３】
絶対値変換部３０は、光ピックアップ６１（図１４）内のレンズセンサ６１Ａ（図１４）から与えられるレンズセンサ信号の信号レベル（対物レンズ６１Ａの基準位置からのずれ量に相当）の絶対値を検出し、当該絶対値に応じた信号レベルのオフセット量検出信号をオフセット検出部７１及び補正係数出力部７２に送出する。
【００９４】
オフセット検出部７１は、供給されるオフセット量検出信号の信号レベルを予め設定された所定の閾値（以下、これをオフセット検出用閾値と呼ぶ）と比較し、オフセット量検出信号の信号レベルが当該オフセット検出用閾値よりも大きい期間のみ立ち上がるオフセット検出信号を補正係数出力部７２に送出する。なお、このオフセット検出用閾値は、対物レンズ６１Ａがこれ以上基準位置からオフセットすると、対物レンズ６１Ａの視野特性の影響により記録パワーに影響が生じるであろうと考えられる位置にまで当該対物レンズ６１Ａが変位したときのレンズセンサ信号の信号レベル絶対値の値である。
【００９５】
補正係数出力部７２は、対物レンズ６１Ａの基準位置からのオフセット量に対する記録パワー補正係数を予め規定したオフセット量‐補正係数変換テーブルを内部メモリ内に保持している。この場合、かかる記録パワー補正係数は、図４について上述した第１の実施の形態の記録パワー補正係数と同様に、対物レンズの基準位置からのオフセット量が「０」のときに予め定められた所定値（例えば「１」）の「100〔％〕」をとり、かかるオフセット量が増加するにつれて、その所定値に対する当該記録パワー補正係数の大きさの割合が２次関数的に大きくなるように規定されている。
【００９６】
そして補正係数出力部７２は、オフセット検出信号が立ち上がる期間中は、この差分‐補正係数変換テーブルに基づいて、オフセット量検出信号に基づき得られる対物レンズ６１Ａの基準位置からのオフセット量を記録パワー補正係数に順次変換し、これを乗算部２２に送出する。また補正係数出力部７２は、オフセット検出信号が立ち下がっている期間中は、かかる所定値の「100〔％〕」の値を記録パワー補正係数に変換し、これを乗算部２２に送出する。これにより、上述のように、この記録パワー補正係数に基づいて記録パワー制御信号の信号レベルの補正が行なわれ、光ディスクの径方向における対物レンズ６１Ａの基準位置からのオフセット量に応じた程度だけ記録パワーが増加されることとなる。
【００９７】
図１６は、このような第３の実施の形態による光ディスク装置６０の記録パワー補正処理の処理シーケンスを示すフローチャートである。
【００９８】
光ディスク装置６０では、記録モード時、第１の実施の形態による光ディスク装置１と同様に、記録パワーの設定を行った後に記録動作が開始される（ＳＰ３１及びＳＰ３２）。また、記録動作の開始後、光ピックアップ内のレンズセンサから出力されたレンズセンサ信号が制御部６５（図１５）の絶対値変換部７０（図１５）において絶対値に順次変換される（ＳＰ３３）。
【００９９】
この後、この絶対値がオフセット検出部７１（図１５）においてオフセット検出用閾値と比較され（ＳＰ３４）、かかる絶対値がそのオフセット検出用閾値よりも小さいときには（ＳＰ３４：ＮＯ）、そのまま記録動作が継続される（ＳＰ３０〜ＳＰ３４−ＳＰ３０）。
【０１００】
一方、かかる絶対値がオフセット検出用閾値以上となったときには（ＳＰ３４：ＹＥＳ）、制御部２１の補正係数出力部７２（図１５）において対物レンズ６１Ａの基準位置からのオフセット量に応じた記録パワー補正係数が算出され（ＳＰ３５）、この記録パワー補正係数が、記録パワー制御部２４（図１４）から出力されるステップＳＰ３１において設定された記録パワーに応じた信号レベルの記録パワー制御信号に乗算される（ＳＰ３６）。これにより記録パワーが補正され、この後、同様の処理が繰り返される（ＳＰ３０〜ＳＰ３６−ＳＰ３０）。
【０１０１】
そして、光ディスク装置６０は、やがて記録データの記録動作が終了すると（ＳＰ３０：ＹＥＳ）、この記録パワー補正処理を終了する。
【０１０２】
（３−３）本実施の形態の効果
以上のように本実施の形態による光ディスク装置６０では、光ディスク１１の径方向における対物レンズ６１Ａの基準位置からのオフセット量をレンズセンサ６１により検出し、そのオフセット量に応じて記録パワーを補正するようにする。
【０１０３】
従って、この光ディスク装置６０では、対物レンズ６１Ａの基準位置からのオフセット量に係わりなく、光ディスク１１の記録面において常に一定の記録パワーでデータ記録を行なうことができるため、光ディスク１１の偏心や光ピックアップの位置付け制御に対するきめ細やかな記録制御を行なうことができる。
【０１０４】
（４）他の実施の形態
なお上述の第１及び第２の実施の形態においては、フォーカスエラー信号に基づき得られる光ディスク１１の記録面１１Ａに対するレーザ光のフォーカスオフセット量に応じて、データを光ディスク１１に記録する際の記録パワーを補正し、又はレンズセンサ６２により検出された対物レンズ６１Ａの光ディスク１１の径方向における基準位置からのずれ量に応じて記録パワーを補正する補正部を、制御部４１，６１及び乗算部２２（演算処理部）により構成するようにした場合について述べたが、本発明はこれに限らず、かかる補正部の構成としては、この他種々の構成を広く適用することができる。この場合において、かかる演算処理部において記録パワー補正係数を乗算するのではなく、加算するように光ディスク装置１，４０，６０を構築するようにしても良い。
【０１０５】
また上述の第１及び第２の実施の形態においてはフォーカスエラー信号に基づいて、光ディスク１１の記録面１１Ａに対するレーザ光Ｌ１のフォーカスオフセット量を検出するフォーカスオフセット量検出部を絶対値変換部３０，７０により構成するようにした場合について述べたが、本発明はこれに限らず、この他種々の構成を広く適用することができる。
【０１０６】
さらに上述の第１及び第２の実施の形態においては、記録パワー補正を光ディスク１１上の欠陥部位にデータを記録するときにのみ行なうようにした場合について述べたが、本発明はこれに限らず、欠陥部位を検出していないときでもフォーカスエラーが発生したときに記録パワーを補正するようにしても良い。
【０１０７】
さらに上述の第２の実施の形態においては、制御部４１の欠陥検出部３１により欠陥部位が検出されたときに、次に欠陥部位が現れるであろう光ディスク１１上の領域を算出する欠陥領域算出部と、復調部５２Ａ〜５２Ｃ、アドレス検出部及び隣接アドレス算出部５４により構成するようにした場合について述べたが、本発明はこれに限らず、この他種々の構成を広く適用することができる。
【０１０８】
さらに上述の第２の実施の形態においては、記録面を複数持つ光ディスク１１においても、制御部４１の欠陥検出部３１により欠陥部位が検出されたときに、検出した欠陥の記録面上のアドレスに対して、他の記録面上の同じ半径位置のアドレスを、次に欠陥部位が現れるであろう光ディスク１１上の領域として算出するようにしても良い。このとき、複数の記録面が異なる記録フォーマット（例えばブルーレイディスク・フォーマットとＤＶＤフォーマット）であっても良い。
【０１０９】
さらに上述の第２の実施の形態においては、記録処理中のフォーカスオフセット量を検出する場合について述べたが、本発明はこれに限らず、記録前の記録開始位置への位置付け処理中にフォーカスオフセット量を検出しても良い。
【０１１０】
さらに上述の第２の実施の形態においては、制御部４１において、第１及び第２の補正係数出力部５０，５９の出力を乗算部５１において乗算するようにして記録パワー補正係数を算出するようにした場合について述べたが、本発明はこれに限らず、第１及び第２の補正係数出力部５０，５９の出力を加算するようにして記録パワー補正係数を算出するようにしても良い。
【０１１１】
さらに上述の第２の実施の形態においては、第１及び第２のピーク値保持部５６，５７を１つずつ設けるようにした場合について述べたが、本発明はこれに限らず、これら第１及び第２のピーク値保持部５６，５７を複数設け、光ディスク１１の１回転中に複数の欠陥部位が検出されたときにこれら欠陥部位に関するピーク値の情報をそれぞれ異なる第１及び第２のピーク値保持部５６，５７に保持させるようにしても良い。このようにすることによって、１回転中に複数の欠陥部位が検出されたときにも対応可能となる。
【図面の簡単な説明】
【０１１２】
【図１】（Ａ）−（Ｃ−３）は、第１の実施の形態の原理説明に供する平面図及び波形図である。
【図２】第１の実施の形態による光ディスク装置の一部構成を示すブロック図である。
【図３】第１の実施の形態による制御部の構成を示すブロック図である。
【図４】ＦＥ量‐補正係数変換テーブルの説明に供する特性曲線図である。
【図５】第１の実施の形態による光ディスク装置における記録パワー補正処理の処理シーケンスを示すフローチャートである。
【図６】（Ａ）−（Ｃ）は、第２の実施の形態の原理説明に供する平面図及び波形図である。
【図７】第２の実施の形態による光ディスク装置の一部構成を示すブロック図である。
【図８】第２の実施の形態による制御部の構成を示すブロック図である。
【図９】（Ａ）−（Ｃ）は、第１及び第２の隣接トラックタイミング信号の説明に供する略線図である。
【図１０】差分‐補正係数変換テーブルの説明に供する特性曲線図である。
【図１１】第２の実施の形態による光ディスク装置における記録パワー補正処理の処理シーケンスを示すフローチャートである。
【図１２】第２の実施の形態による光ディスク装置における記録パワー補正処理の処理シーケンスを示すフローチャートである。
【図１３】第３の実施の形態の原理説明に供する平面図及び波形図である。
【図１４】第３の実施の形態による光ディスク装置の一部構成を示すブロック図である。
【図１５】第３の実施の形態による制御部の構成を示すブロック図である。
【図１６】第３の実施の形態による光ディスク装置における記録パワー補正処理の処理シーケンスを示すフローチャートである。
【符号の説明】
【０１１３】
１，１１……光ディスク、１０，４０，６０……光ディスク装置、１１Ａ……記録面、１１Ｂ……欠陥部位、１６……レーザドライバ、１７，６１……光ピックアップ、１７Ａ，６１Ａ……対物レンズ、２１，４１，６５……制御部、２２……乗算部、２３……記録パワー調整部、２４……記録パワー制御部、３０，７０……絶対値変換部、３１……欠陥検出部、３２，７２……補正係数出力部、５０，５９……補正係数出力部、５２Ａ〜５２Ｃ……復調器、５３……アドレス検出部、５４……隣接アドレス算出部、５５……隣接トラックタイミング生成部、５６，５７……ピーク値保持部、５８……ピーク値検出部、Ｌ１……レーザ光、Ｌ２……反射光。
【図１】
2008108398.tif 000003
【図２】
2008108398.tif 000004
【図３】
2008108398.tif 000005
【図４】
2008108398.tif 000006
【図５】
2008108398.tif 000007
【図６】
2008108398.tif 000008
【図７】
2008108398.tif 000009
【図８】
2008108398.tif 000010
【図９】
2008108398.tif 000011
【図１０】
2008108398.tif 000012
【図１１】
2008108398.tif 000013
【図１２】
2008108398.tif 000014
【図１３】
2008108398.tif 000015
【図１４】
2008108398.tif 000016
【図１５】
2008108398.tif 000017
【図１６】
2008108398.tif 000018